(57)【特許請求の範囲】
【請求項１】
上方へ向け開口してハウジングに形成された直方体形状の収容部に収められた接触片を有する接触子であって、該接触子が金属板素材を加工して作られていて、板面が上記収容部の一内壁面に沿うように配されてハウジングに取付けられる基部と、該基部の上縁の横方向一端側の部位から上方に延びる第一接触片と、上記上縁の横方向他端側の部位から上方に延びる第二接触片とを備える電気コネクタにおいて、第一接触片は上記基部に対して板厚方向で直角に屈曲されて水平部を形成し該水平部が上記一内壁面に対する対向内壁面寄りの位置まで延びた後に、該対向内壁面に沿うように板厚方向で直角に屈曲されて上方に延び、しかる後に同一板厚面で直角に変向して横方向他端側に延びて自由端側で板面に接触部を形成し、第二接触片は基部と同一面を維持して上記一内壁面に沿って上方へ延びた後に横方向で一端側へ変向して延びその自由端側で板面に上記第一接触片の接触部と対面する接触部を形成し、相手接続体の端子が上記収容部へ上方から上記第一接触片の水平部へ向けて非接触で挿入された後に、この挿入方向と直交する横方向へ移動されて、第一接触片と第二接触片の互いに対面せる接触部同士間へ進入して両接触部で挟圧されるようになっていることを特徴とする電気コネクタ。
【請求項２】
第二接触片は、接触部の先端側となる自由端に第一接触片の接触部から離れる方向に傾斜した導入部が形成されていることとする請求項１に記載の電気コネクタ。
【請求項３】
接触子は基部の下縁から収容部外に延出して他回路部材との接続のための接続部を有し、該接続部は、第二接触片の接触部と同一平面にありほぼ直線的な伝送路で連絡されていることとする請求項１に記載の電気コネクタ。
【発明の詳細な説明】
【０００１】
【発明の属する技術分野】
本発明は、電気コネクタに関する。
【０００２】
【従来の技術】
二つの回路基板等の相手接続体を接続するものとして、中間電気コネクタが知られている。
【０００３】
この種のコネクタとしては、例えば特開平4-144083に開示されているものがある。このコネクタは、添付図面の図４に見られるごとく、ハウジング５１に櫛歯状に設けられたガイド５２により形成された複数のガイド溝５３のそれぞれに接触子５４が挿入され保持されている。各接触子５４はその面に平行となるように配列されている。
【０００４】
上記接触子５４は、金属板を抜き加工してほぼその平面を保って形作られており、横方向に延びるＵ字状をなした弾性部５５の自由端側に接触部５６と接続部５７とが設けられている。接触部５６は上方に突出し、接続部５７は脚状に下方に延出している。接触部５６と接続部５７の対向縁５６Ａ，５７Ａは板厚方向で逆方向へ傾斜するように若干湾曲されており、若干の隙間をもって対向し接点を形成している。上記接続部５７はその先端側で、一方の相手接続体（図示せず）の回路部に半田等により接続される。
【０００５】
使用に際しては、他方の相手接続体（図示せず）の回路部が上記接触部５６を上方から押すと、Ｕ字状の弾性部５５が弾性変形し、接触部５６と接続部５７の対向縁５６Ａ，５７Ａは近接しその後所定圧で接触して接点が閉じた状態となる。かくして、二つの相手接続体の対応回路部は電気的に接続される。
【０００６】
【発明が解決しようとする課題】
しかしながら、図４に示される従来のコネクタにあっては、弾性部は、接点が閉じた後に、急にばね定数が高くなり、それ以上は変形しづらい。したがって、十分な接触面を確保するには相手接続体からの強い接圧を必要とする。
【０００７】
接点をなす接触部と接続部の対向縁が傾斜面をなしているので、わずかでも接触部と接続部が板厚方向に誤差をもっていると、これが複数の接触子の間で上記接圧に大きな差をもたらす。その結果、接圧が十分に得られないと接触不良となるし、又接触していても接触不均一となるという虞れがある。
【０００８】
又、この接触子は接点を有しているので、接触子の範囲内でショート短絡を形成し、電気的特性上好ましくない。
【０００９】
さらには、弾性部での弾性を確保するために該弾性部を長くする必要がある。そのために、その方向での端子の大型化を招く。
【００１０】
本発明は、小型ながら腕長を大きくして弾性力を確保し、相手コネクタの接触子と接続後もその弾性が維持できる、しかも接点を形成しない接触子を有する電気コネクタを提供することを目的とする。
【００１１】
【課題を解決するための手段】
本発明に係る電気コネクタは、上方へ向け開口してハウジングに形成された直方体形状の収容部に収められた接触片を有する接触子であって、該接触子が金属板素材を加工して作られていて、板面が上記収容部の一内壁面に沿うように配されてハウジングに取付けられる基部と、該基部の上縁の横方向一端側の部位から上方に延びる第一接触片と、上記上縁の横方向他端側の部位から上方に延びる第二接触片とを備ている。
【００１２】
かかる電気コネクタにおいて、本発明では、第一接触片は上記基部に対して板厚方向で直角に屈曲されて水平部を形成し該水平部が上記一内壁面に対する対向内壁面寄りの位置まで延びた後に、該対向内壁面に沿うように板厚方向で直角に屈曲されて上方に延び、しかる後に同一板厚面で直角に変向して横方向他端側に延びて自由端側で板面に接触部を形成し、第二接触片は基部と同一面を維持して上記一内壁面に沿って上方へ延びた後に横方向で一端側へ変向して延びその自由端側で板面に上記第一接触片の接触部と対面する接触部を形成し、相手接続体の端子が上記収容部へ上方から上記第一接触片の水平部へ向けて非接触で挿入された後に、この挿入方向と直交する横方向へ移動されて、第一接触片と第二接触片の互いに対面せる接触部同士間へ進入して両接触部で挟圧されるようになっている。
【００１３】
このような構成の本発明にあっては、第一接触片が立体的に変向して延びているので、その寸法が小さいにも拘らず腕長が大きくなり、弾性が十分確保される。又、第一接触片と第二接触片がそれらの接触部で、相手接続体の端子を挟圧するので、該端子との接触後も上記弾性がそのまま維持される。さらには、接触子の範囲内では、従来のような接点は存在していない。
【００１５】
相手接続体の端子は第一接触片の水平面に向けて零抵抗のもとで軸線方向に挿入され、しかる後にこれに対して直角な方向に移動されるので、導入部を経て接触部へ円滑に進入するようになる。
【００１６】
又、本発明において、第二接触片は、接触部と接続部とが同一平面にありほぼ直線的な伝送路で連絡されているようにするならば、伝送路における電気抵抗がきわめて小さくなり、その電気的特性が改善される。
【００１８】
【発明の実施の形態】
以下、添付図面の図１ないし図３にもとづき、本発明の実施の形態を説明する。
【００１９】
図１に示される本実施形態の中間電気コネクタは、絶縁材料から成るハウジング１に形成された孔状の収容部２内に接触子３が収められて構成されている。
【００２０】
上記ハウジング１は、本実施形態では、ほぼ板状に作られており、格子状に上記収容部２が行列をなして配置される。各収容部２は少なくともハウジング１の上面に開口部２Ａを有しており、ここに上方から相手接続体（回路基板、コネクタ等）のピン状の対応端子Ｐが進入できるようになっている。
【００２１】
上記収容部２内に収められている接触子は、金属板素材を加工して作られ、基部４の上縁部から腕状に延出する第一接触片５及び第二接触片６と、下縁部から下方に突出する接続片７とを有している。上記第一接触片５と第二接触片６は、後述する要領で作られるが、自由端側に所定間隔をもって対向面を形成する接触部５Ａ，６Ａをそれぞれ有し、両接触部５Ａ，６Ａ間で上記端子Ｐを挟圧するようになっている。又、接続片７は腕状をなしハウジング１の下面から突出し、他の相手接続体（図示せず）の対応回路部と半田等により接続されるようになっている。
【００２２】
次に、接触子３について、その製作要領と共にその形態について詳述する。先ず、帯状の金属板素材を打抜き等によって、図２に見られるように、キャリア１０につながって定間隔で一連に保持される板状の複数の原部材１１を図示の形状に形成する。
【００２３】
原部材１１は、位置Ａ，Ｂ間で区画づけられる加工時の保持のための保持部１２と、それ以外の部分１３とを有している。上記保持部１２は保持の際の強度の確保のために、キャリア１０側が幅広く形成されている。
【００２４】
上記部分１３は、既述した基部４と、該基部４から上方に延出する第一接触片５と第二接触片６と、該基部４から下方に延びる接続片７とから成っている。
【００２５】
基部４は平坦な略矩形状をなし、その両端部に台形状の係止突部４Ａ，４Ｂを有している。この係止突部４Ａ，４Ｂは、図１において接触子３がハウジング１の収容部２に挿入されたとき、この収容部２の内壁面に喰い込みあるいは該内壁面を圧して、接触子３の所定の挿入位置を保持するためのものであり、両係止突部４Ａ，４Ｂの縁同士の距離は上記収容部２の対応内壁面の距離よりも若干大きく設定されている。
【００２６】
上記第一接触片５と第二接触片６は、図２において、基部４の上縁の左右端部からそれぞれ上方に延びていて、対向するように直角に変向している腕状をなしており、図示のごとく第一接触片５は基部４から位置Ｆに向け、そして第二接触片６は位置Ｇに向けて延びている。
【００２７】
又、接続片７は基部４の下縁から、上記第二接触片６の基部に最も近い位置で、下方に突出形成されている。
【００２８】
次に、上述のように、各部を有して平坦な状態にある図２の原部材１１は、図３に見られる形態となるような曲げ加工を受ける。すなわち、第一接触片５は図２に見られる位置Ｃ，Ｄ，Ｅ，Ｆにてそして第二接触片６は位置Ｇにて屈曲加工を受けて図３の形態となる。図３に見られる第一接触片５は立体空間座標軸の各軸方向に次々と曲げられあるいは変向しており自由端部に接触部５Ａを形成している。先ず、基部４との境界をなす位置Ｃにて該基部４の面に対し直角に屈曲され、次に位置Ｄにて上方に屈曲され、さらには直角に変向している部分では位置Ｅ，Ｆにて傾角をもって屈曲されている。かくして、上記位置Ｃ，Ｄ間で水平角をなす受面５Ｂを形成し、自由端部に上記接触部５Ａを有し、両者間では狭い距離の立体空間範囲内であっても、各軸方向に変向せる長い腕長をもつようになる。
【００２９】
一方、第二接触片６は、位置Ｇにて斜めに屈曲されて基部４と同一面に位置する接触部６Ａから自由端までの範囲を傾斜せる導入部６Ｂを形成する。上記第二接触片６の接触部６Ａは第一接触片５の接触部５Ａと対向せる平行面を形成し、両者の間隔は相手接続体のピン状の端子Ｐの径よりも小さく設定されている。
【００３０】
以上の曲げ加工の後、接触子３は上記ハウジング１の収容部２へ挿入される。なお、保持部１２は、接触子３の収容部２への挿入前もしくは挿入後に位置Ｂにて切断されて切り離される。
【００３１】
かくして、曲げ加工を受けて所定の形状となった接触子３は、既述したように、ハウジング１の各収容部２内に収められ、しかる後、ハウジング１から下方へ突出せる接続片７が他の相手方接続体の対応回路部と半田等により接続される。
【００３２】
使用に際しては、上方から相手コネクタの端子Ｐが収容部２内へ零抵抗のもとに挿入され（図１にて方向Ｘ参照）、該端子Ｐはその先端が、先ず接触子３の水平面５Ｂと当接し、その挿入方向位置決めがなされる。しかる後、相手接続体は横方向に相手移動されて、端子Ｐは図１にて方向Ｙに移動し該端子Ｐは第二接触片６の導入部６Ｂを経て、第一接触片５の接触部５Ａと第二接触片６の接触部６Ａとに挟圧される位置に到達する。この位置では端子Ｐは、所定の弾圧力をもって上記接触部５Ａと接触部６Ａと接触するようになる。その際、既述したように第一接触片５は各軸方向に屈曲そして変向されているので撓みに関してその腕長が長く、上記接触部５Ａでは十分な弾性を得る。かくして、二つの相手接続体の対応回路部は上記接触子３を介して電気的に接続される。その際、上記第二接触片６と接続部７とはきわめて近接して設けられており、又接触子３の範囲内には従来のコネクタのような接点を有しないため、電気抵抗が小さくなりその電気的特性は改善される。
【００３３】
【発明の効果】
接触片が立体的に三方向で順次変向して形づけられているので、接触子としては小型にも拘らず、弾性が十分に確保できる。その結果、接触の安定化、加工・位置精度に係りなく十分な弾性接触圧を得られる。又、コネクタとして電気的特性が安定し、従来のコネクタのような接点におけるショート回路がなくなり低抵抗、低インダクタンスのコネクタを得る。
【図面の簡単な説明】
【図１】本発明の一実施形態としてのコネクタの概要を示す部分斜視図である。
【図２】図１のコネクタの接触子の屈曲成形前の形態を示す平面図である。
【図３】図２の接触子の屈曲形成後を示す斜視図である。
【図４】従来のコネクタにおける接触子の斜視図である。
【符号の説明】
１    ハウジング
３    接触子
４    基部
５    第一接触片
５Ａ  接触部
５Ｂ  水平面
６    第二接触片
６Ａ  接触部
Ｐ    端子
【図１】
0003691294.tif 000002
【図２】
0003691294.tif 000003
【図３】
0003691294.tif 000004
【図４】
0003691294.tif 000005